(57)【特許請求の範囲】
【請求項１】
しゃ断器ケースに、主回路接点のＯＮ／ＯＦＦ状態を電気信号で検出する補助スイッチ，引外し動作を電気信号で検出する警報スイッチのカセット式付属スイッチを格納する左右２組分の付属スイッチ収納部を設け、該付属スイッチ収納部に補助スイッチ，ないし警報スイッチを装着するとともに、トグルリンク式の開閉機構をフレームに組み付け、かつ主回路接点を開閉操作する開閉レバーを前記フレームと直交する方向に揺動可能に軸支した開閉機構部を前記しゃ断器ケース内に該フレームが遮断器ケースの長手方向と直交するように配置し、前記付属スイッチ収納部に装着した補助スイッチ，ないし警報スイッチを、前記開閉機構部の開閉レバーに形成した出力突起片，開閉機構の引外し動作に従動する警報出力板に連繋して開閉操作するようにした回路しゃ断器において、
前記開閉レバーに前記フレームから突き出した左右対称な二股状の出力突起片を設けて前記付属スイッチ収納部に装着する補助スイッチの動作レバーに対峙させるとともに、警報出力板は開閉機構部のフレームに支軸を介して軸支されるとともに、該支軸を支点に該フレームに沿ってしゃ断器の長手方向と直交する方向に揺動可能な揺動レバーとして、その先端を付属スイッチ収納部に装着する警報スイッチの動作レバーに対峙させたことを特徴とする回路しゃ断器。
【請求項２】
請求項１記載の回路しゃ断器に装着する付属スイッチにおいて、補助スイッチと警報スイッチはケースを同一形状となし、かつ該ケースの前面に引出した補助スイッチの動作レバーと警報スイッチの動作レバーとの間に前後方向の段差を設定し、しゃ断器ケースへの装着状態で補助スイッチの動作レバーを開閉レバーの二股状出力突起片に、警報スイッチの動作レバーを警報出力板に対峙させるようにしたことを特徴とする回路しゃ断器の付属スイッチ。
【発明の詳細な説明】
【０００１】
【発明の属する技術分野】
本発明は、電動機などの低圧配電設備の過電流保護を目的とした配線用しゃ断器などを対象に、その内装付属装置（オプション品）として主回路接点のＯＮ／ＯＦＦ状態，引外し動作を電気的信号で検出する補助スイッチ，警報スイッチを装備した回路しゃ断器，およびその付属スイッチに関する。
【０００２】
【従来の技術】
まず、しゃ断器本体に補助スイッチ，警報スイッチ（内装付属スイッチ）を装着した配線用しゃ断器の従来例として、本発明と同一出願人より先に特願２０００−１１０３５９号として提案した構成を図７に示す。
図７において、１はしゃ断器本体のケース（樹脂モールドケース）で、該ケース１には主回路のしゃ断部２，トグルリンク式の開閉機構部３，引外し部４などが組み込まれており、開閉機構部３には開閉レバー６を組合せてしゃ断部２の可動接触子の組立体（図示せず）に連繋し、開閉機構部３の動作により開閉レバー６を揺動操作して主回路接点を開閉するようにしている。かかる構成で、ハンドル５を手動ＯＮ／ＯＦＦ位置に移動操作すると、開閉機構部３のトグルリンク機構が作動してしゃ断部２の主回路接点が開極，閉成される。また、主回路に過電流が流れた場合には、引外し部４の出力信号により開閉機構部３がトリップ動作して主回路接点を開極させることは周知の通りである。
【０００３】
また、ケース１の上面側には付属スイッチ収納部１ａ，１ｂが左右に並んで形成されており、ここに頭記したカセット式の補助スイッチ７，および警報スイッチ９を装着するようにしている。
一方、しゃ断器本体の開閉機構部３には、遮断部２の主回路接点を開閉操作する揺動式開閉レバー６と別に、しゃ断器の引外し動作に連動してスライド動作する警報出力板８が組付けてある。そして、開閉レバー６，および警報出力板８には、前記した２組の付属スイッチ収納部１ａ，１ｂと個々に対峙するように出力突起片６ａ，および８ａが左右二箇所に振り分けて突き出し形成されており、かつ開閉レバー６の出力突起片６ａと警報出力板８の出力突起片８ａは、左右に並んで互いに干渉し合わないようにずれた位置に形成されている。
【０００４】
また、図８(a) 〜(c) は前記開閉機構部３の組立構造を示すものであり、開閉レバー６は開閉機構部３の動作により支軸６ｂの回りに揺動し、この動きに合わせて開閉機構部のフレームから突き出した左右一対の出力突起片６ａが上下動する。一方、警報出力板８は開閉機構部３のフレームに添わせて上下方向に移動可能に案内支持し、定常状態では図示の下降位置に係止保持されている。そして、引外し部４（図７参照）からの出力で開閉機構部３のラッチ受け３ａとラッチとの係合が外れてトリップ動作すると、開閉機構部のトグル軸３ｂが揺動して警報出力板８の係止状態を釈放する。これにより、警報出力板８が付勢ばね８ｂのばね力を受けて上方向にスライドし、警報出力板８の左右脚部に形成した出力突起片８ａが上昇移動する。
【０００５】
また、前記した付属スイッチ収納部１ａ，１ｂに装着する補助スイッチ７，警報スイッチ９は、接点機構を組み込んだユニットケースの前面に可動接触子に連繋した動作レバーを引き出した構成になる。そして、しゃ断器ケース１に補助スイッチ７，警報スイッチ９を装着した状態（図７(a),(b) 参照）で、補助スイッチ７から突出した動作レバーは開閉レバー６の出力突起片６ａに対峙し、また警報スイッチ９から突出した動作レバーは警報出力板８の出力突起片８ａと対峙するようになる。この状態で回路しゃ断器がＯＮ，ＯＦＦ，引外し動作すると、補助スイッチ７には開閉レバー６の出力突起片６ａを介して、また警報スイッチ９には警報出力板８を介して機械的な信号が伝達され、これによりスイッチが応動動作し電気信号を外部に出力する。
【０００６】
なお、図示例ではケース１の付属スイッチ収納部１ａ，１ｂにそれぞれ警報スイッチ９，補助スイッチ７を装着した使用例を示しているが、警報スイッチ９を使わずに付属スイッチ収納部１ａおよび１ｂに補助スイッチ７を装着して使用するような使い方もある。
【０００７】
【発明が解決しようとする課題】
ところで、前記した従来構造の出力信号伝達機構では次記のような問題点がある。すなわち、
(1) 開閉レバー６に形成した左右一対の出力突起片６ａは、付属スイッチ収納部１ａ，１ｂに装着する各補助スイッチ７の動作レバーに位置を合わせるために開閉レバー６に対して左右非対称の位置に突き出し形成されている。このために、図８(b) で示すように出力突起片６ａが複雑な段付き形状となる
(2) 警報出力板８は、開閉機構部３のフレーム外側に添わせた上で、前記開閉レバー６との干渉を避けながら上下方向にスライド可能に案内支持し、これを引外し動作時に揺動する開閉機構のトグル軸と駆動ばねとにより駆動するようにしている。このために、警報出力板８の形状，およびそのガイド機構が複雑で部品点数，組立工数も多く、かつ警報板自身の占有スペースも大きくなるほか、動作面でも部品のガイド機構の摺動摩擦、磨耗などにより抵抗，ガタが生じ易く、長期間円滑な動作を安定確保することが難しいといった信頼性の問題がある。
【０００８】
本発明は上記の点に鑑みなされたものであり、その目的は前記課題を解決し、ケースの付属スイッチ収納部に装着した補助スイッチ，警報スイッチに対し、しゃ断器本体からの機械的な出力信号を簡易な機構，かつ安定した動作で的確に伝達できるように改良した回路しゃ断器を提供することにある。
【０００９】
【課題を解決するための手段】
上記目的を達成するために、本発明によれば、しゃ断器ケースに、主回路接点のＯＮ／ＯＦＦ状態を電気信号で検出する補助スイッチ，引外し動作を電気信号で検出する警報スイッチのカセット式付属スイッチを格納する左右２組分の付属スイッチ収納部を設け、該付属スイッチ収納部に補助スイッチ，ないし警報スイッチを装着するとともに、トグルリンク式の開閉機構をフレームに組み付け、かつ主回路接点を開閉操作する開閉レバーを前記フレームと直交する方向に揺動可能に軸支した開閉機構部を前記しゃ断器ケース内に該フレームが遮断器ケースの長手方向と直交するように配置し、前記付属スイッチ収納部に装着した補助スイッチ，ないし警報スイッチを、前記開閉機構部の開閉レバーに形成した出力突起片，開閉機構の引外し動作に従動する警報出力板に連繋して開閉操作するようにした回路しゃ断器において、前記開閉レバーに前記フレームから突き出した左右対称な二股状の出力突起片を設けて前記付属スイッチ収納部に装着する補助スイッチの動作レバーに対峙させるとともに、警報出力板は開閉機構部のフレームに支軸を介して軸支されるとともに、該支軸を支点に該フレームに沿ってしゃ断器の長手方向と直交する方向に揺動可能な揺動レバーとして、その先端を付属スイッチ収納部に装着する警報スイッチの動作レバーに対峙させるよな構成とする（請求項１）。
【００１０】
また、前記の補助スイッチ，および警報スイッチはケースを同一形状となし、かつ該ケースの前面に引出した補助スイッチの動作レバーと警報スイッチの動作レバーとの間に前後方向の段差を設定し、しゃ断器ケースへの装着状態で補助スイッチの動作レバーを開閉レバーの二股状出力突起片に、警報スイッチの動作レバーを警報出力板に対峙させるようにする（請求項２）。
【００１１】
上記構成において、開閉レバーに形成した二股状の出力突起片は、しゃ断器ケースに形成した左右２組の付属スイッチ収納部と個々に対応しており、これにより補助スイッチをスイッチ収納部のいずれか一方，あるいは双方に装着して使用できる。しかも、二股状出力突起片を左右対称に形成したことで、開閉レバー自身も単純な形状となって安価に製作できる。
【００１２】
また、警報出力板は、主回路接点開閉機構に直結した揺動レバーとしたことで複雑な直線ガイド機構が必要なく、開閉機構からの機械的な出力信号を伝達ロスなしに警報スイッチに的確に伝達できる。しかも、レバー形の警報出力板は従来構造と比べて小型化できる。さらに、補助スイッチの動作レバーと警報スイッチの動作レバーとの間に前後方向の段差を設定したことで、レバー形の警報出力板を開閉レバーの出力突起片と干渉なしに配置することができる。
【００１３】
【発明の実施の形態】
以下、本発明の実施の形態を図１〜図６に示す実施例に基づいて説明する。なお、実施例の図中で図７，図８に対応する部材には同じ符号を付してその詳細な説明は省略する。
すなわち、図示実施例においては、開閉レバー６に形成した二股状の出力突起片６ａは図３で示すように左右対称であり、しゃ断器本体に組付けた状態では、図１，図２で示すようにしゃ断器ケース１に形成した左右２組の付属スイッチ収納部に対して左右対称位置に並び、各出力突起片６ａが左右の付属スイッチ収納部に向けて下方から突き出している。
【００１４】
一方、警報出力板８は図４で示すような逆Ｖ字形の揺動レバーとしてなり、前記した開閉レバー６の出力突起片６ａと干渉しないようにその上方に位置決めした上で支軸８ｂを介して開閉機構部３のフレーム端面に軸支され、かつこの位置で開閉機構部３から突き出したトグル軸３ｂ（しゃ断器の引外し動作時に時計方向に揺動する）に連結されており、レバー先端に形成したアーム状の突起片８ａが左側の付属スイッチ収納部に向けて突き出している。（図１参照）
次に、ケース１の付属スイッチ収納部に装着する補助スイッチ７，警報スイッチ９を図５(a),(b) ，図６(a),(b) に示す。すなわち、接点機構を内蔵した補助スイッチ７，警報スイッチ９のケース７ｂ，９ｂは、同じ形状の共通部品として作られ、そのケース前面の下半部中央には凸状段部７ｃ，９ｃが膨出形成されており、補助スイッチ７では接点機構の可動接触子に連繋した作動レバー７ａが前記凸状段部７ｃの左右両側に７ａ-1，７ａ-2として突き出している。これに対して、警報スイッチ９の作動レバー９ａは、横幅の広いカム形状としてケース中央に形成した凸状段部９ｃの前方に引出している。これにより、補助スイッチ７の動作レバー７ａと警報スイッチ９の動作レバー９ａとの間には前後方向に段差が設定される。
【００１５】
次に、図１(a),(b) により、前記構成で付属スイッチ収納部に補助スイッチ７と警報スイッチ９を組合せて装着した場合における動作を説明する。すなわち、図１(a) のように右側の付属スイッチ収納部に補助スイッチ７，左側の付属スイッチ収納部に警報スイッチ９を差込みセットすると、このスイッチ装着状態で補助スイッチ７の動作レバー７ａが開閉レバー６の出力突起片６ａと対峙し、警報スイッチ９の動作レバー９ａが補助スイッチ７の動作レバー７ａより前方に突き出た位置で警報出力板８の出力突起片８ａと対峙するようになる。
【００１６】
ここで、ハンドル５をＯＮ／ＯＦＦ位置に操作すると、ハンドル５と連繋した開閉機構部３の動作に応動して開閉レバー６が支軸６ｂ（図３参照）を支点に揺動し、これによりしゃ断部２の可動接触子２ａが接触子ホルダ２ｂと共に上下動して主回路接点がＯＮ／ＯＦＦする。この場合に、主回路接点が閉極したＯＮ位置にあれば、開閉レバー６の出力突起片６ａは図示の実線位置に後退して補助スイッチ６の動作レバー６ａから離間している。これに対して、ハンドル５をＯＦＦ位置に切り換え操作すると、開閉レバー６が実線位置から破線位置へ時計方向に揺動し、この揺動途上でしゃ断部２の接触子ホルダ２ｂを押し下げて可動接触子２ａを開極位置に駆動するとともに、出力突起片６ａが補助スイッチ７の動作レバー７ａを突き上げて接点機構を反転動作させる。
【００１７】
一方、警報出力板８は、常時は図示の実線位置に待機している。ここで、回路しゃ断器がトリップ動作すると、開閉機構３のトグル軸３ｂが警報出力板８を駆動し、これにより警報出力板８は支軸８ｂを支点に破線位置に揺動し、その揺動途上でレバー先端の出力突起片８ａが警報スイッチ９の動作レバー９ａを上方に引き上げてスイッチの接点機構を反転動作させる。この場合に、揺動レバーとしてなる警報出力板８は、開閉レバー６の出力突起片６ａ，補助スイッチ６の動作レバー６ａと干渉することがない。また、回路しゃ断器のトリップ動作により、開閉レバー６が時計方向に揺動してしゃ断部２の主回路接点をＯＦＦ位置に開極すれば、開閉レバー６の揺動に連動して前記のように補助スイッチ６が反転動作する。
【００１８】
次に、図１における警報スイッチ９を補助スイッチ７に置き換え、２台の補助スイッチ７を組合せてしゃ断器ケース１の補助スイッチ収納部に装着した使用状態を図２に示す。この組合せ状態では、開閉レバー６に形成した左右対称な二股状出力突起片６ａに対して、図示の右側収納部に装着した補助スイッチ７では、そのケースの凸状段付き部（図５参照）から左側に突き出た動作レバー７ａ-1に開閉レバー６の右側の出力突起片６ａが対峙し、左側の収納部に装着した補助スイッチ７では、そのケースの凸状段付き部（図５参照）から右側に突き出た動作レバー７ａ-2には開閉レバー６の左側の出力突起片６ａが対峙し、この位置で回路しゃ断器のＯＮ／ＯＦＦ動作に従動して補助スイッチ７が反転動作する。なお、しゃ断器ケース１に装着する２台の補助スイッチ７を左右に入れ替えても、前記と同様な位置関係を保ってその動作レバー７ａに開閉レバー６の二股状出力突起片６ａが対峙する。なお、この場合に警報出力板８は図示位置に待機しており、開閉レバー６の出力突起片６ａは勿論のこと、左右の補助スイッチ７の動作レバー７ａ-1，７ａ-2に干渉するおそれはなく、回路しゃ断器のトリップ動作で警報出力板８が作動して図１(a) の破線位置に移動しても左側の補助スイッチ７は影響を受けない。
【００１９】
【発明の効果】
以上述べたように、本発明の構成によれば、回路しゃ断器の付属スイッチ（内装付属装置）としてしゃ断器ケースに装着する補助スイッチ，警報スイッチを自由に組合せて装着することができるとともに、二股状出力突起片を左右対称に形成したことで、開閉レバー自身も単純な形状となって安価に製作できる。また、警報出力板は、主回路接点開閉機構に直結した揺動レバーとしたことで従来のような複雑な直線ガイド機構が必要なく、開閉機構からの機械的な出力信号を伝達ロスなしに警報スイッチに的確に伝達できなど、従来と比べて信号伝達部品の構造が簡単で、かつ動作面でも信頼性の向上が図れる。
【００２０】
また、前記の回路しゃ断器に装備する補助スイッチ，警報スイッチについて、双方のケースを同一形状となし、かつ該ケースの前面に引出した補助スイッチの動作レバーと警報スイッチの動作レバーとの間に前後方向の段差を設定し、しゃ断器ケースへの装着状態で補助スイッチの動作レバーを開閉レバーの二股状出力突起片に、警報スイッチの動作レバーを警報出力板に対峙させるようにしたことにより、付属スイッチの部品の共通化を図りつつ、しかも開閉レバーの出力突起片と警報出力板との干渉を避けて補助スイッチ，警報スイッチに機械的な信号を伝達させることができる。
【図面の簡単な説明】
【図１】本発明の実施例による回路しゃ断器の要部構造図であり、(a) はしゃ断器ケースの付属スイッチ収納部に補助スイッチと警報スイッチを組合せて装着した状態図、(b) は(a) 図に対応した回路しゃ断器の側視断面図
【図２】しゃ断器ケースの付属スイッチ収納部に２台の補助スイッチを組合せて装着した状態を表す回路しゃ断器の要部構造図
【図３】図１，図２における開閉レバーの外形斜視図
【図４】図１，図２における警報出力板の外形斜視図
【図５】図１，図２における補助スイッチの外形図であり、(a),(b) はそれぞれ正面図，および側面図
【図６】図１，図２における警報スイッチの外形図であり、(a),(b) はそれぞれ正面図，および側面図
【図７】内装付属装置として補助スイッチ，警報スイッチを装着した配線用しゃ断器の従来例の構成図であり、(a),(b) はそれぞれ平面図，および側面図
【図８】図７における開閉機構部の構造図であり、(a) は組立状態の外観斜視図、(b),(c) はそれぞれ(a) 図における開閉レバー，警報出力板の斜視図
【符号の説明】
１    しゃ断器ケース
２    しゃ断部
３    開閉機構部
４    引外し部
６    開閉レバー
６ａ  出力突起片
７    補助スイッチ
７ａ  動作レバー
７ｂ  ケース
８    警報出力板
８ａ  出力突起片
８ｂ  支軸
９    警報スイッチ
９ａ  動作レバー
９ｂ  ケース
【図１】
0003959941.tif 000002
【図２】
0003959941.tif 000003
【図３】
0003959941.tif 000004
【図４】
0003959941.tif 000005
【図５】
0003959941.tif 000006
【図６】
0003959941.tif 000007
【図７】
0003959941.tif 000008
【図８】
0003959941.tif 000009